(57)【要約】【課題】搬送物の搬送時には、重心位置が高くなるのを回避して走行中に転倒したりするのを防止する。小型及び軽量な構造で重量物を持ち上げることができ、狭小スペースでの運転操作性に優れている。前輪を回動可能に設けることができ、方向転換時の運転操作性に優れ、作業時間を短縮する。【解決手段】上記上下フレームの上部に取付けられ、操作チェーンの移動操作により上下可動体に連結された駆動チェーンを伸縮する方向へ移動して上下可動体を昇降する巻揚げ手段と、上記巻揚げ手段の操作チェーンに噛合って正逆いずれかの方向へ移動するハンドル手段とを備える。ハンドル手段の回動操作により上下可動体を上方へ移動して搬送物を吊上げ可能にする。【選択図】図３
2011005921.tif 000002
【特許請求の範囲】
【請求項１】
走行体の両端側にて起立する左右一対の上下フレームに昇降可能に支持された上下可動体の上部に設けられた吊下げアームに搬送物を吊下げて搬送する搬送台車において、
上記上下フレームの上部に取付けられ、操作チェーンの移動操作により上下可動体に連結されたロードチェーンを巻揚げ／巻戻し方向へ移動して上下可動体を昇降する巻揚げ手段と、
上記巻揚げ手段の操作チェーンに噛合って正逆いずれかの方向へ移動するハンドル手段と、
を備え、ハンドル手段の回動操作により上下可動体を上方へ移動して搬送物を吊上げ可能にした搬送台車。
【請求項２】
請求項１において、走行体の下部には、複数個の車輪を走行方向に対して回動自在に設けた搬送台車。
【請求項３】
請求項１において、巻揚げ手段は、チェーンブロックとした搬送台車。
【請求項４】
請求項１において、ハンドル手段は、操作チェーンに噛合う歯付き回転体と、該歯付き回転体に同心状に固定された歯車に噛合う駆動歯車と、該駆動歯車に固定されて回転可能に軸支する軸に取付けられるハンドル部材とからなる搬送台車。
【請求項５】
請求項１において、走行体は、上下フレームが起立固定されると共に下面に複数個の車輪が回動自在に設けられる固定台と、固定台に対して基端部が走行直交方向へ位置調整可能に支持されると共に下面に複数個の車輪が回動自在に設けられる左右一対の下部フレームとからなる搬送台車。
【請求項６】
請求項１において、上下可動体の下部には、搬送物が載置されるパレットに差込まれるフォークの基端部が固定されるフォーク取付け部材を設けた搬送台車。
【発明の詳細な説明】
【技術分野】
【０００１】
本発明は、重量物の搬送物を搬送する搬送台車に関するものである。
【背景技術】
【０００２】
例えば工場や倉庫等の各種施設内で重量物の搬送物を所望の位置へ移動するには、フォークリフトやハンドリフト等の搬送車により搬送物を持ち上げて所望の位置へ移動している。
【０００３】
しかし、上記した搬送車により搬送物を持ち上げて移動する場合には、搬送物が載置されるパレットに対してフォークを差し込んで走行に障害がないある程度の高さまで持ち上げるため、搬送車の重心が高くなって走行安定性が悪くなり易い傾向にある。特に、搬送車が走行面の窪みや段差を通過する際には、バランスを崩して転倒し易い恐れがある。
【０００４】
また、例えばフォークリフトにあっては、フォークの昇降駆動源や搬送車の走行駆動源としてエンジンや電動モータ及び電池を搭載する必要がある。このため、搬送車自体が大型化及び重量化することが避けられず、狭小スペースでは搬送車を運転操作することが困難になり易く、また運転可能であっても、高い熟練度が要求される問題を有している。
【０００５】
更に、例えばハンドリフトにあっては、持ち上げられる搬送物を車両の前側に位置させる必要があり、この前側に重量が掛かっている。このため、車両前側に設けられる車輪にあっては、走行方向に対して回動不能となるように固定的に取り付ける必要があり、狭小スペースで方向転換を行うには、一度の作業で方向転換することが困難で、何回も切り返して方向転換しなければならず、操作性が悪くなって作業時間が長くなる問題を有している。
【先行技術文献】
【特許文献】
【０００６】
【特許文献１】特開−号公報
【発明の概要】
【発明が解決しようとする課題】
【０００７】
解決しようとする問題点は、フォーク形式の搬送車にあっては、パレットに載置された搬送物を持ち上げた際に、搬送車の重心が高くなり、走行中に転倒し易くなる点にある。昇降駆動源及び走行駆動源としてエンジンや電動モータを搭載した搬送車にあっては、搬送車自体が大型化及び重量化して狭小スペースでの運転操作性が悪い点にある。前輪を固定的に設けた搬送車にあっては、方向転換時の運転操作性が悪く、作業時間が長くなる点にある。
【課題を解決するための手段】
【０００８】
本発明は、走行体の両端側にて起立する左右一対の上下フレームに昇降可能に支持された上下可動体の上部に設けられた吊下げアームに搬送物を吊下げて搬送する搬送台車において、上記上下フレームの上部に取付けられ、操作チェーンの移動操作により上下可動体に連結された駆動チェーンを伸縮する方向へ移動して上下可動体を昇降する巻揚げ手段と、上記巻揚げ手段の操作チェーンに噛合って正逆いずれかの方向へ移動するハンドル手段とを備え、ハンドル手段の回動操作により上下可動体を上方へ移動して搬送物を吊上げ可能にしたことを最も主要な特徴とする。
【発明の効果】
【０００９】
本発明は、搬送物の搬送時には、重心位置が高くなるのを回避して走行中に転倒したりするのを防止することができる。小型及び軽量な構造で重量物を持ち上げることができ、狭小スペースでの運転操作性に優れている。前輪を回動可能に設けることができ、方向転換時の運転操作性に優れ、作業時間を短縮することができる。
【図面の簡単な説明】
【００１０】
【図１】搬送台車を後方から見た全体斜視図である。
【図２】図１Ａ−Ａ線位置の横断面図である。
【図３】ハンドル装置の内部を示す略体斜視図である。
【図４】下方へ移動した吊下げアームに搬送物を吊下げた状態を示す説明図である。
【図５】搬送物を吊上げた状態を示す説明図である。
【発明を実施するための形態】
【００１１】
本発明は、上下可動体を昇降する巻揚げ手段の操作チェーンをハンドル手段により正逆いずれかの方向へ移動操作して上下可動体を上下いずれかの方向へ移動して搬送物を吊上げる。
【実施例１】
【００１２】
以下、実施例を示す図に従って本発明を説明する。
図１乃至図３において、搬送台車１の固定台３は、走行体の一部を構成し、その下面には、複数個の車輪５が、各角部にて走行方向に対して回動自在に設けられている。該固定台３の後端部には、軸支フレーム７が固定され、該軸支フレーム７の両端側には、走行体の一部を構成する左右一対の下部フレーム９の基端部が軸支フレーム７の中空部内に対してそれぞれ摺動可能に挿嵌される。
【００１３】
各下部フレーム９は、下面に複数個（図示の例では３個）の車輪１１が長手方向へ適宜の間隔をおき、かつ走行方向に対して回動自在に取付けられる取付けアーム部９ａ及び各取付けアーム部９ａの基端部にて長手直交方向へ延伸する軸部９ｂからなる平面Ｌ字形からなる。そして各下部フレーム９は、軸支フレーム７における両端側の中空部に対する軸部９ｂの挿嵌量に応じて相互間隔が調整可能に構成される。なお、軸支フレーム７における両端側の中空部に挿嵌された軸部９ｂは、図示しないねじ等により固定される。
【００１４】
上記固定台３の上面には、一対の上下フレーム１３の基端部が固定台３の幅に一致する間隔をおいて相対して起立するように固定されている。各上下フレーム１３の相対面には、上下方向へ延出する支持部としての支持凹所１３ａがそれぞれ設けられ、各支持凹所１３ａには、上下方向へ延出するレール１３ｂが固定されている。
【００１５】
なお、支持部としては、各上下フレーム１３を前後一対で構成して中間部に上下方向へ延出する空間部をそれぞれ形成すると共に該空間部を挟んだ各上下フレーム１３の相対面に上下方向へ延出するレール（図示せず）を固定し、各空間部内にて後述する上下可動体１５を、該上下可動体１５に軸支された車輪（図示せず）をレールに係合して上下方向へ移動可能に支持する構成、また各空間部に上下方向へ軸線を有したガイド軸（図示せず）を取り付け、各ガイド軸に上下可動体を上下方向へ移動可能に支持する構成のいずれであってもよい。
【００１６】
上記一対の上下フレーム１３間には、上下可動体１５が支持凹所１３ａ内にて上下方向へ摺動可能に支持されている。該上下可動体１５の上部には、前方へ所定の長さで突出する左右一対の吊下げアーム１７の基端部がボルト等により着脱可能に固定され、該吊下げアーム１７の先端部には、金属環等の吊下げ部１９が設けられている。
【００１７】
各上下フレーム１３の上部を連結する連結フレーム２１には、チェーンブロック等の巻揚げ手段２３が取付けられ、該巻揚げ手段２３のロードチェーン２３ａの端部は、上下可動体１５の下部に取付けられている。また、巻揚げ部材２３の操作チェーン２３ｂは、上下フレーム１３の後端面に固定された取付け板２５に取付けられた後述するハンドル装置２７に噛合わされている。
【００１８】
上記ハンドル装置２７は、取付け板２５に回転可能に支持され、操作チェーン２３ｂに噛合って回転するように軸支された歯付き回転体２９と、該歯付き回転体２９に対して同軸に固定される第１歯車３１と、該第１歯車３１に対してアイドル歯車３３を介して噛合わされ、取付け板２５に回転可能に軸支される第２歯車３５と、該第２歯車３５に固定された軸３７に取付けられる操作ハンドル３９とにより構成される。
【００１９】
なお、歯付き回転体２９の上部両側及び下部両側に応じた取付け板２５には、歯付き回転体２９に対して操作チェーン２３ｂが噛合うように案内するガイド回転体４１が回転するようにそれぞれ軸支されている。また、上下可動体１５の相対する下部内面には、上下可動体１５に後述するフォーク（図示せず）を装着する際に、該フォークの基端部が係合して固定されるフォーク取付け部材４５が相対して固定されている。
【００２０】
次に、上記のように構成された搬送台車１による搬送物の吊上げ搬送作用を説明する。
図４に示すように、作業者は、搬送台車１を、搬送物Ｗが左右一対の下部フレーム９間に位置するように移動させる。このとき、作業者は、搬送物Ｗの幅に応じて左右一対の下部フレーム９を、互いに近づく方向または遠ざかる方向へ移動して相互間隔を調整しておく。
【００２１】
この状態にて作業者は、ハンドル３９を所定の方向へ回動操作して巻揚げ手段２３のロードチェーン２３ａが延伸するように操作し、上下可動体１５を下降させる。そして該状態にて作業者は、搬送物Ｗの上面に設けられたフック４７を吊下げ部１９に係合させる。
【００２２】
次に、図５に示すように作業者は、ハンドル３９を上記と逆方向へ回動操作してロードチェーン２３ａを巻き戻して上下可動体１５を上方へ移動して搬送物Ｗを吊上げた後、この状態にて搬送台車１を押して所望の位置へ移動させる。そして搬送台車１が所望の位置へ移動されると、作業者は、ハンドル３９を、上下可動体１５が下降する方向へ移動するように回動操作して搬送物Ｗを床面に設置させた後、吊下げ部１９に対するフック４７の係合を解除して搬送作業を終了する。
【００２３】
本実施例は、上下可動体１５を昇降する駆動手段として巻揚げ手段２３を使用することにより搬送台車１を小型化及び軽量化することができる。また、ハンドル３９を回動操作することにより上下可動体１５を昇降することができ、作業を円滑化することができる。
【００２４】
上記説明は、吊下げアーム１７に先端側にて搬送物Ｗを吊上げて搬送する構成としたが、上下可動体１５の上部から吊下げアーム１７を取外した後に、フォーク取付け部材４５にフォークの基端部を係合して固定し、搬送物Ｗが載置されるパレット（図示せず）に差し込まれたフォークを、ハンドル３９の回動操作により上方へ移動する上下可動体１５により搬送物Ｗを持ち上げた状態で搬送してもよい。
【符号の説明】
【００２５】
１  搬送台車
３  走行体の一部を構成する固定台
５  車輪
７  軸支フレーム
９  走行体の一部を構成する下部フレーム
９ａ  取付けアーム部
９ｂ  軸部
１１  車輪
１３  上下フレーム
１３ａ  支持凹所
１３ｂ  レール
１５  上下可動体
１７  吊下げアーム
１９  吊下げ部
２１  連結フレーム
２３  巻揚げ手段
２３ａ  ロードチェーン
２３ｂ  操作チェーン
２５  取付け板
２７  ハンドル装置
２９  歯付き回転体
３１  第１歯車
３３  アイドル歯車
３５  第２歯車
３７  軸
３９  ハンドル
４１  ガイド回転体
４５  フォーク取付け部材
４７  フック
Ｗ  搬送物
【図１】
2011005921.tif 000003
【図２】
2011005921.tif 000004
【図３】
2011005921.tif 000005
【図４】
2011005921.tif 000006
【図５】
2011005921.tif 000007